(57)【要約】【課題】効率よく画像処理を行なうことができる画像処理装置を提供する。【解決手段】画像処理装置は、入力画像（画素（１）〜（７））を主走査方向に高解像度に変換することで、１の画素を３個の画素にする。解像度変換後の３個の画素は、３つの２値化処理回路で処理される。２値化処理でオンとなった画素の数に基づいて、パルス幅が決定される。また、オンとなった画素の位置に基づいて、パルスの位相が決定される。これによりＰＷＭ制御が行なわれる。【選択図】図６
2009188475.tif 000002
【特許請求の範囲】
【請求項１】
パルス幅と位相とにより画像を再現する画像処理装置であって、
主走査方向の複数画素をそれぞれしきい値処理し、オンまたはオフを決定するしきい値処理部と、
前記しきい値処理部でオンとなった画素の数に基づいて、パルス幅を決定するパルス幅決定部と、
前記しきい値処理部でオンとなった画素の位置に基づいて、パルスの位相を決定するパルス位相決定部とを備えた、画像処理装置。
【請求項２】
主走査方向の複数画素のデータを並列に出力するシリアル／パラレル変換部をさらに備え、
前記しきい値処理部は、前記シリアル／パラレル変換部から出力される複数画素のデータのそれぞれを２値化処理する、複数の２値化処理部を含む、請求項１に記載の画像処理装置。
【請求項３】
前記複数の２値化処理部のそれぞれは、予め決められた位置の画素を２値化する、請求項２に記載の画像処理装置。
【請求項４】
前記パルス幅決定部は、オン画素数に応じて出力階調を決定する、画素数・階調変換部を有し、
前記画素数・階調変換部は、（ＭＡＸ階調）／（２値化処理部の数）の分解能を有する、請求項２または３に記載の画像処理装置。
【請求項５】
前記パルス位相決定部は、２値化処理部の位置関係を元に、２値化結果の配列の重心位置からＰＷＭの位相を決定する、請求項２から４のいずれかに記載の画像処理装置。
【請求項６】
入力される画像データの主走査方向の解像度変換を行なう解像度変換部をさらに備え、
前記しきい値処理部は、前記解像度変換部で解像度が変換された画像データの複数画素をそれぞれしきい値処理する、請求項１から５のいずれかに記載の画像処理装置。
【請求項７】
前記解像度変換部は、１の画素データからＮ個の画素データを生成し、
前記しきい値処理部は、前記Ｎ個の画素データのそれぞれを並列にしきい値処理する、請求項６に記載の画像処理装置。
【請求項８】
前記しきい値処理部は、主走査方向の複数画素のそれぞれを、異なるパラメータを用いて処理する、請求項１から７のいずれかに記載の画像処理装置。
【請求項９】
前記しきい値処理部は、画素データにノイズ重畳処理を行なうノイズ重畳部、および画素データにγ補正処理を行なうγ補正部の少なくとも一方を備え、
前記ノイズ重畳部およびγ補正部の少なくとも一方は、主走査方向の複数画素のそれぞれに対して異なる処理を行なう、請求項１から８のいずれかに記載の画像処理装置。
【請求項１０】
請求項１から９のいずれかに記載の画像処理装置と、
前記画像処理装置で処理されたパルス幅とパルスの位相とに基づいて画像形成を行なう画像形成部とを備えた、画像形成装置。
【請求項１１】
パルス幅と位相とにより画像を再現する画像処理装置の制御方法であって、
主走査方向の複数画素をそれぞれしきい値処理し、オンまたはオフを決定するしきい値処理ステップと、
前記しきい値処理ステップでオンとなった画素の数に基づいて、パルス幅を決定するパルス幅決定ステップと、
前記しきい値処理ステップでオンとなった画素の位置に基づいて、パルスの位相を決定するパルス位相決定ステップとを備えた、画像処理装置の制御方法。
【請求項１２】
パルス幅と位相とにより画像を再現する画像処理装置の制御プログラムであって、
主走査方向の複数画素をそれぞれしきい値処理し、オンまたはオフを決定するしきい値処理ステップと、
前記しきい値処理ステップでオンとなった画素の数に基づいて、パルス幅を決定するパルス幅決定ステップと、
前記しきい値処理ステップでオンとなった画素の位置に基づいて、パルスの位相を決定するパルス位相決定ステップとをコンピュータに実行させる、画像処理装置の制御プログラム。
【発明の詳細な説明】
【技術分野】
【０００１】
この発明は、画像処理装置、画像形成装置、画像処理装置の制御方法、および画像処理装置の制御プログラムに関し、特に、パルス幅と位相により画像を再現する画像処理装置、画像形成装置、画像処理装置の制御方法、および画像処理装置の制御プログラムに関する。
【背景技術】
【０００２】
電子写真式の画像形成装置（ＭＦＰ（Ｍｕｌｔｉ  Ｆｕｎｃｔｉｏｎ  Ｐｅｒｉｐｈｅｒａｌ）、ファクシミリ装置、複写機、プリンタなど）には、スキャンにより読取られた画像データを印字のためのデータに変換する画像処理装置が設けられている。
【０００３】
また画像形成装置には、ＰＷＭ（Ｐｕｌｓｅ  Ｗｉｄｔｈ  Ｍｏｄｕｌａｔｉｏｎ：パルス幅変調）技術を採用したものがある。ＰＷＭは、レーザのオン／オフタイミング、すなわち１画素内のレーザの幅や位置（位相）を微調整することで、画像の濃淡やエッジを高精細に再現するものである。
【０００４】
下記特許文献１は、画素を複数段のしきい値で多値ディザ処理し、その結果の最も左の「１」の位置と、最も右の「１」の位置とから位相を決定する画像処理装置を開示する。
【０００５】
特許文献２は、複数個の画素を１単位とし、基本画素を生成するしきい値となる三角波の位相をずらすことで印字位置をずらす画像形成装置を開示する。
【０００６】
特許文献３は、複数画素の情報を１画素にまとめ、位置情報とともに出力する画像形成装置を開示する。
【０００７】
特許文献４は、主走査１８００ｄｐｉの２値画像を６００ｄｐｉの多値画像および位置情報に変換することで、高解像度の画像を低解像度のエンジンで処理する画像形成装置を開示する。
【特許文献１】特開平５−２４４４０１号公報
【特許文献２】特開平８−１４９３２５号公報
【特許文献３】特開２００４−５０６７３号公報
【特許文献４】特開２００４−６６７１２号公報
【発明の開示】
【発明が解決しようとする課題】
【０００８】
この発明は、効率よく画像処理を行なうことができる画像処理装置、画像形成装置、画像処理装置の制御方法、および画像処理装置の制御プログラムを提供することを目的としている。
【課題を解決するための手段】
【０００９】
上記目的を達成するためこの発明のある局面に従うと、画像処理装置は、パルス幅と位相とにより画像を再現する画像処理装置であって、主走査方向の複数画素をそれぞれしきい値処理し、オンまたはオフを決定するしきい値処理部と、しきい値処理部でオンとなった画素の数に基づいて、パルス幅を決定するパルス幅決定部と、しきい値処理部でオンとなった画素の位置に基づいて、パルスの位相を決定するパルス位相決定部とを備える。
【００１０】
好ましくは画像処理装置は、主走査方向の複数画素のデータを並列に出力するシリアル／パラレル変換部をさらに備え、しきい値処理部は、シリアル／パラレル変換部から出力される複数画素のデータのそれぞれを２値化処理する、複数の２値化処理部を含む。
【００１１】
好ましくは複数の２値化処理部のそれぞれは、予め決められた位置の画素を２値化する。
【００１２】
好ましくはパルス幅決定部は、オン画素数に応じて出力階調を決定する、画素数・階調変換部を有し、画素数・階調変換部は、（ＭＡＸ階調）／（２値化処理部の数）の分解能を有する。
【００１３】
好ましくはパルス位相決定部は、２値化処理部の位置関係を元に、２値化結果の配列の重心位置からＰＷＭの位相を決定する。
【００１４】
好ましくは画像処理装置は、入力される画像データの主走査方向の解像度変換を行なう解像度変換部をさらに備え、しきい値処理部は、解像度変換部で解像度が変換された画像データの複数画素をそれぞれしきい値処理する。
【００１５】
好ましくは解像度変換部は、１の画素データからＮ個の画素データを生成し、しきい値処理部は、Ｎ個の画素データのそれぞれを並列にしきい値処理する。
【００１６】
好ましくはしきい値処理部は、主走査方向の複数画素のそれぞれを、異なるパラメータを用いて処理する。
【００１７】
好ましくはしきい値処理部は、画素データにノイズ重畳処理を行なうノイズ重畳部、および画素データにγ補正処理を行なうγ補正部の少なくとも一方を備え、ノイズ重畳部およびγ補正部の少なくとも一方は、主走査方向の複数画素のそれぞれに対して異なる処理を行なう。
【００１８】
この発明の他の局面に従うと画像形成装置は、上述のいずれかに記載の画像処理装置と、画像処理装置で処理されたパルス幅とパルスの位相とに基づいて画像形成を行なう画像形成部とを備える。
【００１９】
この発明のさらに他の局面に従うと画像処理方法は、パルス幅と位相とにより画像を再現する画像処理装置の制御方法であって、主走査方向の複数画素をそれぞれしきい値処理し、オンまたはオフを決定するしきい値処理ステップと、しきい値処理ステップでオンとなった画素の数に基づいて、パルス幅を決定するパルス幅決定ステップと、しきい値処理ステップでオンとなった画素の位置に基づいて、パルスの位相を決定するパルス位相決定ステップとを備える。
【００２０】
この発明のさらに他の局面に従うと画像処理プログラムは、パルス幅と位相とにより画像を再現する画像処理装置の制御プログラムであって、主走査方向の複数画素をそれぞれしきい値処理し、オンまたはオフを決定するしきい値処理ステップと、しきい値処理ステップでオンとなった画素の数に基づいて、パルス幅を決定するパルス幅決定ステップと、しきい値処理ステップでオンとなった画素の位置に基づいて、パルスの位相を決定するパルス位相決定ステップとをコンピュータに実行させる。
【発明の効果】
【００２１】
これらの発明に従うと、効率よく画像処理を行なうことができる画像処理装置、画像形成装置、画像処理装置の制御方法、および画像処理装置の制御プログラムを提供することが可能となる。
【発明を実施するための最良の形態】
【００２２】
以下、本発明の実施の形態の１つにおける画像形成装置について説明する。
【００２３】
画像形成装置には、画像処理装置が備えられる。画像処理装置は、低解像度のエンジンで、高解像度の２値化画像を出力するカラーの画像処理装置である。画像処理装置は、入力画像を高解像度化する。画像処理装置は、（高解像度化された画像の解像度）／（エンジン解像度）分の数の２値化回路を有する。これら複数の２値化回路で、同時に２値化処理が行なわれる。
【００２４】
このとき、２値化回路のそれぞれは、高解像度化された画像のうち、あらかじめ決められた位置の画素を２値化処理する。
【００２５】
この位置関係と２値化処理結果とに基づき、出力画像のオン（Ｏｎ）画素数からＰＷＭの階調を決定すると共に、２値化されたオン（Ｏｎ）／オフ（Ｏｆｆ）画素の位置関係から、ＰＷＭの位相を決定する。
【００２６】
より詳しくは画像処理装置は、入力画像を、主走査方向に（高解像度化された入力画像の解像度）／（エンジン解像度）分同時に２値化処理し、２値化結果のＯｎ画素数からＰＷＭの出力階調を決定すると共に、Ｏｎ／Ｏｆｆの位置関係からＰＷＭの位相を決定する。
【００２７】
これにより、低解像度のエンジンで高解像度の２値化画像を出力することができる。
【００２８】
図１は、本発明の実施の形態の１つにおける４サイクル画像形成装置の全体構成を示す図である。
【００２９】
ここでは画像形成装置は、ＭＦＰ１である。ＭＦＰ１は、スキャナ、複写機、プリンタ、ファックスなどの機能を有する複合機である。
【００３０】
ＭＦＰ１は、複数のキー１１ａ、当該キーに対するユーザの操作による各種の指示や、文字・数字などのデータの入力を受付ける操作部１１、ユーザに対する指示メニューや取得した画像に関する情報などの表示を行なうディスプレイ１２、原稿を光学的に読取って画像データを得るスキャナ部１３、画像データに基づいて記録シート上に画像を印刷するプリンタ部１４、用紙を搬送するＡＤＦ１７、画像形成を行なう用紙を収容する給紙トレイ１８、および排紙トレイ１９を備える。
【００３１】
また、マシン内部には各エレメントに供給するＤＣ電源電圧をＡＣ電源から変換する電源部１６、およびマシンを制御するための演算、記憶機能を搭載したコントローラー部２３が備えられる。
【００３２】
図２は、図１の画像形成装置の内部構成を示す図である。
【００３３】
図を参照して画像形成装置は、中間転写ベルト３２と、感光体３３と、中間転写ベルトクリーナ３５と、クリーナブレード対向ローラ３６と、感光体クリーナブレード３７と、１次転写ローラ３８と、レーザ露光装置３９と、給紙部４０と、タイミングローラ４１と、２次転写ローラ４２と、定着部４３と、排紙ローラ４４と、現像器を備える４色分のトナーカートリッジ４５と、帯電装置４６と、環境センサ４７と、濃度センサ（画像濃度検出センサ）４８と、排紙トレイ３１とを備えている。
【００３４】
本画像形成装置は、所謂４サイクル機であり、作像部の現像ラックにはカートリッジ４５が４つ装着可能である。現像ラックを反時計回りに回転させることで、Ｙ→Ｍ→Ｃ→Ｋの順に、順次カートリッジを感光体３３に向かい合う現像位置に移動して現像を行なう。
【００３５】
カートリッジ４５は、トナーとトナーを現像する現像部とから構成される。感光体３３の周囲には、感光体３３を帯電する帯電装置４６、および画像パターンを露光するレーザ露光装置３９が設けられ、１色ずつ順に帯電、露光、現像のプロセスにより感光体３３上にトナー像を形成する。トナー像は、中間転写ベルト３２に転写される。カラープリントであれば中間転写ベルト３２で４色のトナー像が重ね合わされる。
【００３６】
４色のトナー像を重ね合わせる間は、中間転写ベルトクリーナ３５および２次転写ローラ４２は、中間転写ベルト３２から離間している。
【００３７】
４色のトナー像が重ね合わされた後、トナー像の先端が２次転写部に到達するまでに２次転写ローラ４２を中間転写ベルト３２に圧接させる。これにより、搬送する用紙にトナー像を転写する。
【００３８】
また、４色のトナー像の後端が中間転写ベルトクリーナ３５を通過したところで中間転写ベルトクリーナのブレードを圧接して、残トナーを中間転写ベルト３２から掻き取る。２次転写ローラ４２でトナー像を転写した用紙は、定着ローラ４３でトナー像が定着されて排紙ローラ４４から排出される。
【００３９】
中間転写ベルト３２付近には画像濃度検出センサ４８が取り付けられている。画像濃度検出センサ４８は、中間転写ベルト面にＬＥＤ光を照射してその反射光を検出し、中間転写ベルト面のトナー隠蔽率を測定して、それを中間転写ベルト上のトナー濃度として検出する。
【００４０】
図３は、画像形成装置に含まれる画像処理装置のブロック図である。
【００４１】
図を参照して画像処理装置は、主走査解像度変換回路１０１と、シリパラ（シリアル／パラレル）変換回路１０２と、２値化処理回路（左画素用）１０３Ａと、２値化処理回路（中画素用）１０３Ｂと、２値化処理回路（右画素用）１０３Ｃと、パルス幅変換回路１０４と、位相決定回路１０５とを備える。
【００４２】
スキャナ部１３などから読み込まれた画像は、入力画像として、主走査解像度変換回路１０１に入力される。主走査解像度変換回路１０１は、入力画像を主走査方向に３倍に拡大する。
【００４３】
シリパラ変換回路１０２は、入力画像１画素を３倍に拡大した際に生成される３画素を、あらかじめ決められた２値化処理回路に同位相で入力する。
【００４４】
２値化処理回路１０３Ａ〜１０３Ｃのそれぞれは、入力された多値画像を、誤差拡散処理を用いて２値化処理する。
【００４５】
パルス幅変換回路１０４は、２値化結果のＯｎ画素数に応じて出力階調を決定する。
【００４６】
位相決定回路１０５は、２値化結果のＯｎ／Ｏｆｆ画素の位置から、ＰＷＭの位相を決定する。
【００４７】
ここでは入力画像データは、６００ｄｐｉであるものとし、主走査解像度変換部１０１によりそれが１８００ｄｐｉの高解像度に変換されるものとする。画像処理エンジンは、３つの２値化回路により分担して並列に処理を行ない、６００ｄｐｉの画像の出力を行なう。各２値化回路は、実質的には６００ｄｐｉの低解像度の処理能力を有していればよい。
【００４８】
なお、主走査解像度変換部１０１は、１の画素をＮ倍の数の画素にしており、２値化処理回路１０３Ａ〜１０３Ｃは、Ｎ個設けられる。ここでは、Ｎは２以上の整数であればよい。
【００４９】
図４は、２値化処理回路１０３Ａ〜１０３Ｃの構成を示すブロック図である。
【００５０】
ここでは、２値化処理回路１０３Ａの構成を代表して記載しているが、２値化処理回路１０３Ｂおよび１０３Ｃの構成も同様である。
【００５１】
２値化処理回路１０３Ａは、画素データにノイズ重畳処理を行なうためのノイズ重畳回路１０３−１と、画素データにγ補正処理を行なうためのγ補正テーブル１０３−２と、しきい値ＬＵＴ（ルックアップテーブル）１０３−３と、誤差メモリ１０３−４と、γ補正後の画素データにノイズを重畳させるための加算回路１０３−５と、画素データに拡散誤差を加算する加算回路１０３−６と、しきい値と加算回路１０３−６の出力とを比較する比較回路１０３−７と、比較回路の出力と入力とから誤差を算出するための減算回路１０３−８とを備える。
【００５２】
ここでは２値化回路は、誤差拡散処理を用いて２値化結果の分散を行なうこととしているが、他の２値化技術を用いてもよい。
【００５３】
しきい値処理回路１０３Ａ〜１０３Ｃのそれぞれは、主走査方向の複数画素のそれぞれを、それぞれ異なるパラメータを用いて処理する。同一パラメータを用いると、解像度変換前の画像を２値化処理したのと同じ結果となってしまうためである。
【００５４】
ノイズ重畳回路１０３−１およびγ補正テーブル１０３−２は、主走査方向の複数画素のそれぞれに対して異なる処理を行なう。例えば、各しきい値処理部１０３Ａ〜１０３Ｃに含まれるそれぞれのノイズ重畳回路１０３−１は、それぞれが異なるノイズ重畳量を２値化処理に与える。これによりｄｏｔ（ドット）の分散が図られる。
【００５５】
各しきい値処理部１０３Ａ〜１０３Ｃに含まれるそれぞれのγ補正テーブル１０３−２は、以下のように設定される。すなわち、２値化処理のγ補正テーブル出力の平均＝入力画像階調となると共に、３つのγ補正テーブルが異なる値となるようにテーブルは設定される。これにより、ｄｏｔの分散が図られる。
【００５６】
各しきい値処理部１０３Ａ〜１０３Ｃに含まれるそれぞれのしきい値ＬＵＴ１０３−３では、それぞれが異なるものとなるようＬＵＴが設定される。これにより、異なる２値化処理結果が生成される。
【００５７】
各しきい値処理部１０３Ａ〜１０３Ｃに含まれるそれぞれの誤差メモリ１０３−４では、誤差拡散処理に用いられる積分フィルタを、それぞれが異なるものとすることで、異なる２値化処理結果を生成している。
【００５８】
図５は、Ｏｎ画素数と出力階調との関係、およびＯｎ／Ｏｆｆ画素の位置とＰＷＭの位相との関係を示す図である。
【００５９】
パルス幅変換回路１０４および位相決定回路１０５により、図５の表に示される処理が行なわれる。
【００６０】
表の左においては、２値化処理回路（左画素用）１０３Ａと、２値化処理回路（中画素用）１０３Ｂと、２値化処理回路（右画素用）１０３Ｃとの出力を示している。グレーが付された部分は、Ｏｎ（“１”）であることを示し、グレーが付されていない部分は、Ｏｆｆ（“０”）であることを示す。表内の「２値化結果」において、左、中央、および右のそれぞれの出力をまとめた３ビットの数値（「０００」〜「１１１」）が示されている。
【００６１】
位相決定回路１０５は、２値化結果の配列の重心位置からＰＷＭの位相（位置）を決定する。すなわち、２値化結果が「０００」、「０１０」、「１１１」のいずれかであれば、位相を「０」（中央）とする。２値化結果が「００１」、「０１１」のいずれかであれば、位相を「１」（右寄せ）とする。２値化結果が「１００」、「１１０」のいずれかであれば、位相を「２」（左寄せ）とする。２値化結果が「１０１」であれば、位相を「３」（中抜き）とする。
【００６２】
パルス幅変換回路１０４は、オン画素数に応じて出力階調を決定する、画素数・階調変換部を有する。画素数・階調変換部は、（ＭＡＸ階調）／（２値化処理回路の数）の分解能を有する。ここでは、ＭＡＸ階調は「６３」、２値化処理回路の数は、「３」であり、分解能は「２１」である。
【００６３】
出力階調は、２値化結果が「０００」であれば、「０」とされる。２値化結果が「１００」、「０１０」、「００１」のいずれかであれば、「２１」とされる。２値化結果が「１１０」、「１０１」、「０１１」のいずれかであれば、「４２」とされる。２値化結果が「１１１」であれば、「６３」（最高階調）とされる。
【００６４】
なお、ＭＡＸ階調を８ｂｉｔ（＝最大２５５）とするのであれば、Ｏｎ画素数が１個である時は出力階調は「８５」、２個である時は「１７０」、３個である時は「２５５」となる。
【００６５】
パルス幅変換回路１０４および位相決定回路１０５により決定されるＰＷＭ出力の具体例を、表の右に示している。
【００６６】
３つの画素により、６００ｄｐｉ相当の入力画像と同程度の解像度のデータとなる。
【００６７】
図６は、画像処理の具体例を示す図である。
【００６８】
入力画像（６００ｄｐｉ）の画素は、縦方向の実線で区切られる解像度を示す。入力画像の各画素のデータを、画素（１）〜（７）で示している。入力画像（６００ｄｐｉ）は、解像度変換回路１０１によって、主走査方向へ１８００ｄｐｉに拡大される。解像度変換後のデータは、縦方向の点線で示される解像度を示す。なお、ここでは、画素間の補完処理が行なわれている。拡大後の画素データは、ハッチングで示される画素の位置関係に応じて各２値化処理回路へ入力され、２値化処理が行なわれる。２値化処理は、左、中、および右で独立して行なわれる。２値化結果は、パルス幅変調回路１０４と位相決定回路１０５とへ入力される。
【００６９】
パルス幅変調回路１０４は、Ｏｎ画素数に応じて出力階調を決定する。
【００７０】
位相決定回路１０５では、２値化処理の結果のＯｎ／Ｏｆｆ画素の位置関係から、ＰＷＭの位相を決定する。
【００７１】
たとえば画素（２）の２値化処理結果においては、右と中の２値化処理結果がＯｎ、左の２値化処理結果がＯｆｆとなっている。このため、Ｏｎ画素の重心は右寄りにあると判断され、ＰＷＭの位相が右寄せと決定される。
【００７２】
また、画素（３）においては、左と中がＯｎ、右がＯｆｆとなったため、重心は左寄りにあると判断され、ＰＷＭの位相は左寄せと決定される。
【００７３】
［実施の形態における効果］
【００７４】
上記実施の形態においては、高解像度（１８００ｄｐｉ）の複数画素を１画素に圧縮して低解像度（６００ｄｐｉ）で出力することができる。また、印字位置（画像形成位置）を、２値化結果のＯｎ／Ｏｆｆ画素の重心でずらすことができる。また、２値化処理を３画素分独立して行ない、３画素の位置関係から位置情報（位相情報）を生成することができる。
【００７５】
これにより、低解像度のエンジンで、高解像度の２値化画像を出力することができる。
【００７６】
［その他］
【００７７】
上述の実施の形態における処理は、ソフトウエアによって行なっても、ハードウエア回路を用いて行なってもよい。
【００７８】
また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【００７９】
なお、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８０】
【図１】本発明の実施の形態の１つにおける４サイクル画像形成装置の全体構成を示す図である。
【図２】図１の画像形成装置の内部構成を示す図である。
【図３】画像形成装置に含まれる画像処理装置のブロック図である。
【図４】２値化処理回路１０３Ａ〜１０３Ｃの構成を示すブロック図である。
【図５】Ｏｎ画素数と出力階調との関係、およびＯｎ／Ｏｆｆ画素の位置とＰＷＭの位相との関係を示す図である。
【図６】画像処理の具体例を示す図である。
【符号の説明】
【００８１】
１  ４サイクルカラー画像形成装置
１１  操作部
１１ａ  パネルキー
１２  ディスプレイ
１３  スキャナ部
１４  プリンタ部
１６  電源部
２３  コントローラー部
３２  中間転写ベルト
３３  感光体
３８  １次転写部
３９  露光装置
４０  給紙部
４２  ２次転写部
４３  定着部
４４  排紙ローラ
４５  カートリッジ（現像器）
４６  帯電装置
５１  操作ユニット
５２  駆動ユニット
５３  センサユニット
５４  ＨＶユニット
５５  ＡＣ電源入力部
５６  制御部
５７  ＣＰＵ
５８  メモリ部
５９  コントローラ部
６０  ＣＰＵ
６１  メモリー部
１０１  主走査解像度変換回路
１０２  シリパラ（シリアル／パラレル）変換回路
１０３Ａ  ２値化処理回路（左画素用）
１０３Ｂ  ２値化処理回路（中画素用）
１０３Ｃ  ２値化処理回路（右画素用）
１０４  パルス幅変換回路
１０５  位相決定回路
１０３−１  ノイズ重畳回路
１０３−２  γ補正テーブル
１０３−３  しきい値ＬＵＴ（ルックアップテーブル）
１０３−４  誤差メモリ
１０３−７  比較回路
【図１】
2009188475.tif 000003
【図２】
2009188475.tif 000004
【図３】
2009188475.tif 000005
【図４】
2009188475.tif 000006
【図５】
2009188475.tif 000007
【図６】
2009188475.tif 000008